(57)【特許請求の範囲】
【請求項１】
送風機ユニットと、吸込口と、吹出口と、熱交換器と、内部機器とを有し、前記送風機ユニットによって、前記吸込口から空気を取り入れ前記熱交換器を通して前記吹出口から送出する空気調和装置の室内機において、
前記吸込口が配置された第１の面と前記第１の面の反対側にある第２の面とのいずれかを選択してメンテナンス面とし、選択した前記メンテナンス面からメンテナンスできるように前記送風機ユニットおよび前記内部機器を取り付けることが可能な構造を有し、
前記吸込口と前記熱交換器の配置が固定されており、
前記送風機ユニットは、前記第１の面から着脱可能な取り付け方法と、前記第２の面から着脱可能な取り付け方法とのどちらも可能であり、
前記内部機器は、前記第１の面の近傍への取り付け方法と、前記第２の面の近傍への取り付け方法とのどちらも可能である、
ことを特徴とする、空気調和装置の室内機。
【請求項２】
前記第１の面と前記第２の面のいずれにも意匠が施されている、請求項１に記載の空気調和装置の室内機。
【請求項３】
前記内部機器は、開閉可能な蓋を有する箱に電気部品が収容された構造であり、前記第１の面の近傍に取り付けるときには前記第１の面から開閉可能な向きに取り付けられ、前記第２の面の近傍に取り付けるときには前記第２の面から開閉可能な向きに取り付けられる、
請求項１または２に記載の空気調和装置の室内機。
【請求項４】
前記吸込口が配置された前記第１の面と、前記吸込口が配置されていない前記第２の面とに、形状および構造が同一で着脱が可能であり、取り外すと前記内部機器へのアクセスが可能になる、カバーが設けられている、請求項１から３のいずれか一項に記載の空気調和装置の室内機。
【請求項５】
前記吹出口に取り付けられ、前記吹出口からの空気を所定方向に送出する吹出ユニットを更に有し、
前記吹出ユニットは、前記第１の面側に空気を送出するような取り付け方法と、前記第２の面側に空気を送出するような取り付け方法とのどちらも可能である、
請求項１から４のいずれか一項に記載の空気調和装置の室内機。
【発明の詳細な説明】
【技術分野】
【０００１】
本発明は、床置型空気調和装置の室内機に関する。
【背景技術】
【０００２】
通常、床置型空気調和機の室内機は、正面、左側面、右側面の３つの面がデザインの施された意匠面となっている。また、床置型空気調和機の室内機は、正面がメンテナンス面となっており、そこからメンテナンスの作業が行われるようになっている。そして、メンテナンス面を正面から背面へと変更することはできない（例えば、特許文献１参照）。
【先行技術文献】
【特許文献】
【０００３】
【特許文献１】特開平６−１０１８６６号公報
【発明の概要】
【発明が解決しようとする課題】
【０００４】
しかしながら、意匠面およびメンテナンス面が固定された構造では、様々な室内機の設置態様に対応することが困難であった。例えば、空調すべき部屋の中に室内機を設置するスペースがない場合には、空調すべき部屋の外に室内機を設置し、室内機の吹出口および吸込口のそれぞれと部屋とをダクトで接続し、部屋を循環空調するような態様がとられることがある。また、空調すべき部屋の中に室内機を設置するスペースがある場合には、空調すべき部屋の中に室内機を設置し、室内機の吹出口から所望の場所までダクトで接続し、空調した空気を所望の場所から吹き出すような態様がとられることがある。
【０００５】
吸込口と意匠面の位置関係が固定されていると、設置場所や設置向きが制限されるので、場合によっては、意匠が施されていない面が人目に触れたり、メンテナンス性が犠牲になったり、ダクトの経路が複雑になったりする場合があった。
【０００６】
本発明の目的は、設置場所と設置向きの自由度を向上した床置型空気調和装置の室内機を提供することである。
【課題を解決するための手段】
【０００７】
本発明の一つの実施態様による空気調和装置の室内機は、送風機ユニットと、吸込口と、吹出口と、熱交換器と、内部機器とを有し、前記送風機ユニットによって、前記吸込口から空気を取り入れ前記熱交換器を通して前記吹出口から送出する空気調和装置の室内機において、前記吸込口が配置された第１の面と前記第１の面の反対側にある第２の面とのいずれかを選択してメンテナンス面とし、選択した前記メンテナンス面からメンテナンスできるように前記送風機ユニットおよび前記内部機器を取り付けることが可能な構造を有するものである。
【０００８】
また、本発明の一態様による室内機として、前記第１の面と前記第２の面のいずれにも、人目に触れる側にするための意匠が施されていてもよい。
【０００９】
また、本発明の一態様による室内機として、前記吸込口と前記熱交換器の配置が固定されており、前記送風機ユニットは、前記第１の面から着脱可能な取り付け方法と、前記第２の面から着脱可能な取り付け方法とのどちらも可能であり、前記内部機器は、前記第１の面の近傍への取り付け方法と、前記第２の面の近傍への取り付け方法とのどちらも可能であってもよい。
【００１０】
また、本発明の一態様による室内機として、前記内部機器は、開閉可能蓋を有する箱に電気部品が収容された構造であり、前記第１の面の近傍に取り付けるときには前記第１の面から開閉可能な向きに取り付けられ、前記第２の面の近傍に取り付けるときには前記第２の面から開閉可能な向きに取り付けられるものであってもよい。
【００１１】
また、本発明の一態様による室内機として、前記吸込口が配置された前記第１の面と、前記吸込口が配置されていない前記第２の面とに、形状および構造が同一で着脱が可能であり、取り外すと前記内部機器へのアクセスが可能になる、カバーが設けられていてもよい。
【００１２】
また、本発明の一態様による室内機として、前記吹出口に取り付けられ、前記吹出口からの空気を所定方向に送出する吹出ユニットを更に有し、前記吹出ユニットは、前記第１の面側に空気を送出するような取り付け方法と、前記第２の面側に空気を送出するような取り付け方法とのどちらも可能であってもよい。
【発明の効果】
【００１３】
本発明によれば、設置場所と設置向きの自由度を向上した床置型空気調和装置の室内機を提供することができる。
【図面の簡単な説明】
【００１４】
【図１】実施例１による空気調整装置の室内機の概略構成図である。
【図２】実施例１における室内機の他の態様における概略構成図である。
【図３Ａ】送風機ユニット２を正面から着脱する様子を描いた図である。
【図３Ｂ】送風機ユニット２を背面から着脱する様子を描いた図である。
【図４】実施例１による床置型空気調和機の室内機の標準的な設置態様を示す図である。
【図５】実施例１による床置型空気調和機の室内機の他の設置態様を示す図である。
【図６】実施例２による室内機の設置態様を示す図である。
【発明を実施するための形態】
【００１５】
本発明の実施形態について図面を参照して詳細に説明する。
【実施例１】
【００１６】
図１は、実施例１による空気調整装置の室内機の概略構成図である。
【００１７】
図１を参照すると、室内機は、電気品箱１、送風機ユニット２、熱交換器３、ドレンパン４、正面側電気品箱取付板５、背面側電気品箱取付板６、送風機ユニット取付板７、吹出口８、吸込口９、膨張弁１２、圧縮機１３、エマージェンシードレンパン１４、正面上側カバー１５、背面上側カバー１６、正面下側カバー１７、背面下側カバー１８を有している。
【００１８】
室内機は、空調すべき部屋（空調対象室）あるいは他の部屋などの室内に設置され、送風機ユニット２によって、吸込口９から空調対象室の空気を取り入れ熱交換器３を通して吹出口９から空調対象室に送出する装置である。送風機ユニット２は、不図示の送風機、送風機用モーター、送風機用モーターの駆動力を送風機に伝達する伝達部、送風機と送風機用モーターと伝達部を取り付ける取付板を備えた一体部品であり、送風機を回転させて空気の流れを作り出す。
【００１９】
室内機は、設置場所の環境などに応じて様々な態様で設置することができ、吸込口が配置された背面と、その反対側にある正面とのいずれかを選択してメンテナンス面１０とし、選択したメンテナンス面１０からメンテナンスの作業ができるように送風機ユニット２および電気品箱１を取り付けることが可能な構造を有している。メンテナンスの作業は、各機器によって異なるが、例えば機器の交換や電気信号の測定などがある。
【００２０】
図１には正面をメンテナンス面とした状態が示されているが、背面をメンテナンス面とした状態では図２のようになる。図２の状態では、送風機ユニット２は背面側から挿入および抜去が可能であり、また電気品箱１は背面側からメンテナンスできる。
【００２１】
本実施形態によれば、環境等に応じて正面と背面のどちらをメンテナンス面とするか選択できるので、正面が壁に面するように設置することも、背面が壁に面するように設置することもでき、設置場所と設置向きの自由度が高い。
【００２２】
また、本実施例の室内機は、正面と背面のいずれにも、人目に触れる側にするための意匠が施されている。これによれば、正面と背面のいずれを壁側にし、いずれを人目に触れる側にして設置しても、人目に触れる面には意匠が施されている状態となり、意匠性が損なわれない。
【００２３】
メンテナンスは、メンテナンス面のカバーを外して行われる。例えば、図１に示すように、正面がメンテナンス面になっている場合、送風機ユニット２のメンテナンスであれば、正面上側カバー１５を外してメンテナンスが行われる。例えば、送風機ユニット２は、所定方向（図１において正面側と記載された側）からは室内機に挿入できるが、挿入したときに所定の位置で止まって位置が決まる構造を備えており、その構造のために反対方向からは室内機に挿入できない。そのため、送風機ユニット２の挿入可能な方向が、室内機のメンテナンス面の側に来るように取り付けることにより、メンテナンス面から送風機ユニット２の交換が可能にしている。また、電気品箱１のメンテナンスであれば、正面下側カバー１７を外してメンテナンスが行われる。一方、背面がメンテナンス面になっている場合、送風機ユニット２のメンテナンスであれば、背面上側カバー１６を外してメンテナンスが行われる。電気品箱１のメンテナンスであれば、背面下側カバー１８を外してメンテナンスが行われる。
【００２４】
また、本実施例の室内機は、背面にある吸込口９からの空気が熱交換器３の広い面にあたり、自然な流れで吹出口８に向かうような吸込口９と熱交換器３の位置関係となるように、吸込口９と熱交換器３の配置が固定されており、送風機ユニット２と電気品箱１の取り付け方でメンテナンス面を変更するものである。送風機ユニット２は、正面から着脱可能な取り付け方法と、背面から着脱可能な取り付け方法とのどちらも可能である。電気品箱１は、正面の近傍への取り付け方法と、背面の近傍への取り付け方法とのどちらも可能である。
【００２５】
レイアウト変更に伴って吸込口９や熱交換器３を含む空気の経路が変わると全体あるいは部分的に風速が変化する等により、ドレン水の飛び散りや空調能力の低下などの不具合が生じる恐れがある。そこで、本実施例では、上述のように吸込口９と熱交換器３の配置を固定することにより、空気が流れる経路を良好に維持し、ドレン水が飛び散ったり空調能力が低下するのを防止している。
【００２６】
電気品箱１は、開閉可能を蓋を有する箱に様々な電気部品が収容された構造であり、正面の近傍に取り付けるときには正面から開閉可能な向きに取り付けられ、背面の近傍に取り付けるときには背面から開閉可能な向きに取り付けられる。つまり、正面をメンテナンス面とする場合と、背面をメンテナンス面とする場合とで、電気品箱１は移動と共に反転している。これによれば、正面と背面のいずれをメンテナンス面とする設置態様でも電気品箱１を取り外さずに開けて中の部品を容易にメンテナンスすることができる。
【００２７】
なお、室内機の中には、送風機ユニット２や電気品箱１の他に、圧縮機１３、熱交換器３、膨張弁１２、ドレンパン４、エマージェンシードレンパン１４などもあり、これらのメンテナンス面からメンテナンスの作業を行えることにしてもよい。
【００２８】
ドレンパン４は、熱交換器３で発生する水分を受ける受け皿および排水機構によって構成されており、熱交換器３で発生した水分を排水する機能を果たす。エマージェンシードレンパン１４は、ドレンパン４の排水機構が詰まる等によって溢れた水を受けて排水する受け皿および排水機構で構成されている。
【００２９】
正面側電気品箱取付板５と背面側電気品箱取付板６はいずれも電気品箱１と取り付けるための板であり、同一形状で前後対称の位置に配置されている。これにより電気品箱１の移動が容易となっている。一例として、正面側電気品箱取付板５および背面側電気品箱取付板６はドレンパン４と一体的に構成され、ドレンパンの一部をなしていてもよい。これにより、部品点数を削減でき、コストが削減される。
【００３０】
また、背面上側カバー１６、正面上側カバー１５、背面下側カバー１８、および正面下側カバー１７は、人目に触れる面になってよいように意匠が施された化粧カバーである。そして、吸込口９がある背面に設けられたカバー（ここでは背面下側カバー１８）と、吸込口９がない正面に設けられたカバー（ここでは正面下側カバー１７）とが形状および構造が同一であってもよい。これによれば、部品の共通化およびメンテナンス作業の共通化ができる。
【００３１】
図３Ａ、３Ｂは、送風機ユニット２の着脱の様子を描いた図である。図３Ａは正面をメンテナンス面とした場合を示し、図３Ｂは背面をメンテナンス面とした場合を示している。
【００３２】
図３Ａを見ると分かるように、送風機ユニット２は、正面側から室内機の中に行き止まるまで挿入した状態で、送風機ユニット取付位置１１にネジをねじ込んで固定される。送風機ユニット２の上面をなす板状部材は、一辺（図３Ａにおいては左手前の辺）において下方向にＬ字に折れている。図３Ａ中の左手前から室内機に送風機ユニット２を挿入していくと、板状部材の下方向に折れた部分が室内機の筐体を構成する部材に当たり、送風機ユニット２がそれ以上入らなくなる。ネジはその位置でねじ込み可能になる。また、図３Ｂを見て分かるように、送風機ユニット２は、背面側から室内機の中に行き止まるまで挿入し、送風機ユニット取付位置１１にネジをねじ込むことで固定される。図３Ｂ中の左手前から室内機に送風機ユニット２を挿入していくと、板状部材の下方向に折れた部分が室内機の筐体を構成する部材に当たり、送風機ユニット２がそれ以上入らなくなる。ネジはその位置でねじ込み可能になる。このように、前後反転が可能な構造によって、容易に送風機ユニット２のメンテナンス面１０を正面あるいは背面へ移動することができる。
【００３３】
図４は、実施例１による床置型空気調和機の室内機の標準的な設置態様を示す図である。図５は、実施例１による床置型空気調和機の室内機の他の設置態様を示す図である。図４、図５において、２０は床置型空気調和機の室内機、２１は吸込ダクト、２２は吹出ダクト、２３は部屋（空調対象室）、２４はメンテナンス面を示す。
【００３４】
図４に示した標準的な設置態様では、室内機２０は部屋（空調対象室）２３の外に設置されており、正面がメンテナンス面となっている。一方、図５に示した設置態様では、室内機２０は部屋２３の中に設置され、背面がメンテナンス面となっている。いずれの設置態様でも意匠性とメンテナンス性が確保されている。
【実施例２】
【００３５】
実施例２は、室内機の吹出口８にダクトを接続せず、室内機から直接空気を吹き出す設置態様の例である。実施例２の室内機は実施例１のものと同じものである。
【００３６】
図６は、実施例２による室内機の設置態様を示す図である。図６において、３０は床置型空気調和機の室内機、３１は吹出ユニット、３２は部屋（空調対象室）、３３はメンテナンス面を示す。吹出ユニット３１は、吹出口８に取り付けられ、吹出口８からの空気を所定方向に送出する機器である。
【００３７】
吹出ユニット３１は、背面側の方向に空気を送出するような取り付け方法と、正面側の方向に空気を送出するような取り付け方法とのどちらも可能である。図６では、吹出ユニット３１は背面側に空気を送りだすように取り付けられている。また、本実施例の吹出ユニット３１は、上下及び左右に空気をそれぞれ吹き分ける上下羽根及び左右羽を備えている。
【００３８】
本実施例によれば、同じ室内機でダクト接続型と直吹型のいずれの設置態様にも対応でき、直吹型で設置すれば、ダクトの接続が不要となる。
【実施例３】
【００３９】
実施例１、２では、室内機は背面に吸込口は配置された構成を例示したが、本発明がこれに限定されることは無い。床置型空気調和機の室内機において、正面側に吸込口を配置した場合でも、実施例１の場合と同様に、吸込口とメンテナンス面とが同一方向になるような設置態様でも、吸込口がメンテナンス面の逆方向になるような設置態様でも、ひとつの室内機で対応でき、かつ意匠性およびメンテナンス性を損なうことが無い。
【００４０】
上述した本発明の実施形態および実施例は、本発明の説明のための例示であり、本発明の範囲をそれらのみに限定する趣旨ではない。当業者は、本発明の要旨を逸脱することなしに、他の様々な態様で本発明を実施することができる。
【符号の説明】
【００４１】
１…電気品箱、１１…送風機ユニット取付位置、１２…膨張弁、１３…圧縮機、１４…エマージェンシードレンパン、１５…正面上側カバー、１６…背面上側カバー、１７…正面下側カバー、１８…背面下側カバー、２…送風機ユニット、２０…室内機、２１…吸込ダクト、２２…吹出ダクト、２３…部屋、３…熱交換器、３０…室内機、３１…吹出ユニット、３２…部屋、４…ドレンパン、５…正面側電気品箱取付板、６…背面側電気品箱取付板、７…送風機ユニット取付板、８…吹出口、９…吸込口
【図１】
0005706809.tif 000002
【図２】
0005706809.tif 000003
【図３Ａ】
0005706809.tif 000004
【図３Ｂ】
0005706809.tif 000005
【図４】
0005706809.tif 000006
【図５】
0005706809.tif 000007
【図６】
0005706809.tif 000008